(57)【要約】本発明はプラズマ溶接機の溶接ガンのアークストライク装置に関し、アークストライク装置と固定装置を含み、アークストライク装置はアークストライクブロック（5）、バネ（6）及びタングステン針（3）を含み、固定装置は締付台（4）、タングステン針グリップ（7）、ベース（2）及び底部磁石（1）を含む。アークストライクブロック（5）とタングステン針（3）は導体であり、バネ（6）を通して正確に相互移動し、高水準のアークストライク機能を達成することができる。固定装置は、締付台（4）とタングステン針グリップ（7）の円弧面の堅固な挟持によりタングステン針（3）を固定し、ベース（2）には底部磁石（1）が嵌め込まれ、これにより、アークストライク台の必要な箇所に固定することができる。
2014503363.tif 000002
【特許請求の範囲】
【請求項１】
アークストライク装置と固定装置を含むアークストライク台において、タングステン針とアークストライクブロックは導体であり、且つ、相対的に移動可能であることを特徴とするアークストライク台。
【請求項２】
アークストライク装置は、アークストライクブロック、バネ及びタングステン針を含むことを特徴とする請求項１に記載のアークストライク台。
【請求項３】
固定装置は、タングステン針グリップ、締付台、ベース及び底部磁石を含むことを特徴とする請求項１に記載のアークストライク台。
【請求項４】
アークストライクブロックは、内円弧面を有することを特徴とする請求項１に記載のアークストライク台。
【請求項５】
アークストライクブロックの下部にはバネが設けられ、バネによってタングステン針の外表面で上下に摺動することを特徴とする請求項１に記載のアークストライク台。
【請求項６】
締付台は内円弧面を有し、内円弧面とタングステン針グリップの外円弧面が係合し、締付台はベースにねじり込まれてタングステン針グリップを押圧してタングステン針を固定することを特徴とする請求項１に記載のアークストライク台。
【請求項７】
タングステン針グリップの円弧は複数のクリップ片を支持し、締緩可能であることを特徴とする請求項１に記載のアークストライク台。
【請求項８】
ベースには底部磁石が埋め込まれ、作業用テーブルの必要な箇所に固定されるようになっていることを特徴とする請求項１に記載のアークストライク台。
【発明の詳細な説明】
【技術分野】
【０００１】
本発明は、プラズマ溶接ガンのアークストライク装置に関し、全てのプラズマ溶接機に用いる溶接ガンに適用可能なアークストライク装置に関する。
【背景技術】
【０００２】
プラズマ溶接機において、プラズマ溶接ガンにはアークストライク装置が取付けられているため、プラズマ溶接ガンが非常に大きくなり、狭い空間での使用が不可能になり、プラズマ溶接領域における幅広い使用を制限している。本発明は、アークストライク装置を単独に開発して１つの製品とし、プラズマ溶接ガンのヘッド部と合わせて使用することで、プラズマ溶接機の溶接領域を幅広くすることができる。これにより、プラズマ溶接領域において新しいエネルギー革命を実現している。
【発明の概要】
【０００３】
前記状況を鑑み、本発明の目的は、プラズマ溶接機の溶接ガンのアークストライクの技術問題を解決することにある。プラズマ溶接機の溶接ガンの前面は噴射ノズルであり、正極に接続され、噴射ノズル内に相対的に絶縁された陰極ヘッドが陰極に接続されている。本発明のアークストライク台は、アークストライク装置と固定装置からなり、アークストライク装置は、アークストライクブロック5、バネ6及びタングステン針3を含み、アークストライクブロックとタングステン針は導体であり、且つ相対的に移動することができ、アークストライクブロックは内円弧面を有し、アークストライクブロックの下部にバネを有し、バネによりタングステン針の外表面で上下に摺動することができる。固定装置は、締付台4、タングステン針グリップ7、ベース2及び底部磁石1を含み、締付台は内円弧面を有し、内円弧面とタングステン針グリップの外円弧面が係合し、締付台はベースに締付けられ、これにより、タングステン針グリップを押圧してタングステン針を固定し、タングステン針グリップ上円弧は複数のクリップ片を支持し、締緩することができ、ベースには底部磁石が埋め込まれ、作業用テーブル上の必要な位置に固定されることができる。
【図面の簡単な説明】
【０００４】
【図１】図1は、本発明の設備の主断面図である。
【図２】図2は、タングステン針グリップの外形を示す図である。
【発明を実施するための形態】
【０００５】
下記では、図面と具体的な実施例を用いて本発明に対して詳細に説明する。
【０００６】
図1と図2に示されたように、プラズマ溶接機の溶接ガンの噴射ノズルをアークストライクブロック5に位置合わせして、下へ押圧したとき、アークストライクブロック5の内円弧面と溶接ガンの噴射ノズルの外表面が似ているため、噴射ノズルの中心とアークストライクブロック5の中心を一致させることを確保し、バネ6が下へ圧縮され、アークストライクブロック5が下へ摺動されると同時に、タングステン針3が噴射ノズルに挿入されて、噴射ノズル内の陰極ヘンドと接触する。アークストライクブロック5とタングステン針3の両方共が導体であるため、トリガー回路を短絡させて、アークストライク機能を有し、その後、溶接ガンを緩くする。アークストライクブロック5はバネ6の作用により上昇する。タングステン針3は複数回に渡ってアークストライクが行われることで、焼損された場合、締付台4を緩くし、その後、タングステン針3を上へ適切な位置に移動させて、締付台4とベース2のねじ山をねじり込み、ベース2がタングステン針グリップ7を支持し、タングステン針グリップ7上の複数のグリップ片は、ベース4の内円弧面の作用によりタングステン針3を堅固に挟持して、タングステン針3を固定するようになる。その後、ベース2の底部磁石1により作業用テーブル上の必要な箇所に配置される。
【図１】
2014503363.tif 000003
【図２】
2014503363.tif 000004
【手続補正書】
【提出日】平成25年7月29日(2013.7.29)
【手続補正１】
【補正対象書類名】特許請求の範囲
【補正対象項目名】全文
【補正方法】変更
【補正の内容】
【特許請求の範囲】
【請求項１】
アークストライク装置と固定装置を含むアークストライク台において、前記アークストライク装置がアークストライクブロック、バネ、及びタングステン針を含み、タングステン針とアークストライクブロックは導体であり、且つ、相対的に移動可能であることを特徴とするアークストライク台。
【請求項２】
固定装置は、タングステン針グリップ、締付台、ベース及び底部磁石を含むことを特徴とする請求項１に記載のアークストライク台。
【請求項３】
アークストライクブロックは、内円弧面を有することを特徴とする請求項１に記載のアークストライク台。
【請求項４】
アークストライクブロックの下部にはバネが設けられ、バネによってタングステン針の外表面で上下に摺動することを特徴とする請求項１に記載のアークストライク台。
【請求項５】
締付台は内円弧面を有し、内円弧面とタングステン針グリップの外円弧面が係合し、締付台はベースにねじり込まれてタングステン針グリップを押圧してタングステン針を固定することを特徴とする請求項２に記載のアークストライク台。
【請求項６】
タングステン針グリップの円弧は複数のクリップ片を支持し、締緩可能であることを特徴とする請求項２に記載のアークストライク台。
【請求項７】
ベースには底部磁石が埋め込まれ、作業用テーブルの必要な箇所に固定されるようになっていることを特徴とする請求項２に記載のアークストライク台。
【国際調査報告】
2014503363.tif 000005
2014503363.tif 000006
2014503363.tif 000007
2014503363.tif 000008
2014503363.tif 000009
2014503363.tif 000010